(57)【要約】【課題】ディスプレイの白レベルを変更することなく、画像のコントラストを改善する。【解決手段】  平均輝度検出部２は、フレームバッファ１に保持された１枚分の画像信号の平均輝度Ａｖを算出する。補正係数決定部４は、LUT保持部５に保持されているLUTを参照することにより、画素の輝度レベルＰに対応する補正係数Ｋｐを決定する。補正信号生成部６は、下式に従い、補正信号Ｃを生成する。ここで、Ｗｌはディスプレイ等の白レベルである。  Ｃ＝Ｋｐ・（Ａｖ／Ｗｌ）  加算部７は、画素毎の画像信号に、補正信号Ｃを加算して出力信号を生成する。本発明は、テレビジョン受像機に適用することができる。【選択図】図４
2005309737.tif 000002
【特許請求の範囲】
【請求項１】
画像を構成する画素の輝度の平均値を検出する平均値検出手段と、
前記画素に対して、前記画素の輝度に対応する補正係数を決定する補正係数決定手段と、
前記平均値検出手段によって検出された平均輝度、および前記補正係数決定手段により前記画素に対して決定された前記補正係数に基づき、前記画素に対する補正値を算出する補正値算出手段と、
前記補正値算出手段によって算出された前記補正値を、対応する前記画素の輝度に加算する加算手段とを含み、
前記補正値算出手段は、前記画素の輝度が最大値である場合、前記補正値として最小値である０を算出する
ことを特徴とする画像処理装置。
【請求項２】
前記補正係数決定手段は、前記画素の輝度が最大値である場合、前記補正係数を最大値である０に決定し、前記画素の輝度が最小値である場合、前記補正係数を負の数である最小値に決定する
ことを特徴とする請求項１に記載の画像処理装置。
【請求項３】
前記補正値算出手段は、前記平均値検出手段によって検出された前記平均輝度、および前記補正係数決定手段により前記画素に対して決定された前記補正係数に比例して、前記画素に対する補正値を算出する
ことを特徴とする請求項１に記載の画像処理装置。
【請求項４】
前記補正係数決定手段は、ルックアップテーブルまたは関数を用いて、前記各画素の輝度に対応する前記補正係数を決定する
ことを特徴とする請求項１に記載の画像処理装置。
【請求項５】
画像を構成する画素の輝度の平均値を検出する平均値検出ステップと、
前記画素に対して、前記画素の輝度に対応する補正係数を決定する補正係数決定ステップと、
前記平均値検出ステップの処理で検出された平均輝度、および前記補正係数決定ステップの処理で前記画素に対して決定された前記補正係数に基づき、前記画素に対する補正値を算出する補正値算出ステップと、
前記補正値算出ステップによって算出された前記補正値を、対応する前記画素の輝度に加算する加算ステップとを含み、
前記補正値算出ステップは、前記画素の輝度が最大値である場合、前記補正値として最小値である０を算出する
ことを特徴とする画像処理方法。
【請求項６】
画像を構成する画素の輝度の平均値を検出する平均値検出ステップと、
前記画素に対して、前記画素の輝度に対応する補正係数を決定する補正係数決定ステップと、
前記平均値検出ステップの処理で検出された平均輝度、および前記補正係数決定ステップの処理で前記画素に対して決定された前記補正係数に基づき、前記画素に対する補正値を算出する補正値算出ステップと、
前記補正値算出ステップによって算出された前記補正値を、対応する前記画素の輝度に加算する加算ステップとを含む処理をコンピュータに実行させ、
前記補正値算出ステップは、前記画素の輝度が最大値である場合、前記補正値として最小値である０を算出する
ことを特徴とするプログラム。
【発明の詳細な説明】
【技術分野】
【０００１】
本発明は、画像処理装置および方法、並びにプログラムに関し、特に、例えば液晶ディスプレイのように、白色で表示させる輝度レベルと黒色で表示させる輝度レベルのダイナミックレンジが固定されているディスプレイに表示させる画像のコントラストを強調する場合に用いて好適な画像処理装置および方法、並びにプログラムに関する。
【背景技術】
【０００２】
従来、テレビジョン放送等の画像が全体的に明るいときの、画像のコントラストを改善する技術として、直流伝送率補正と称する方法がある。この直流伝送補正は、入力される画像信号（以下、入力信号とも記述する）のうちの輝度信号について、その平均値（以下、平均輝度と記述する）を算出し、平均輝度に基づいて決定される値だけ全画素の輝度から一律に減少させる技術である（特許文献１参照）。
【０００３】
直流伝送補正によれば、入力信号の輝度レベルが、例えば図１に示されるような場合、その値に拘わらず全体的に減少されて、図２に示されるような出力信号に補正される。ただし、図１および図２において、横軸は時間ｔを示し、縦軸は入力信号または出力信号の輝度レベルを示す。また、縦軸の白レベルと黒レベルは、それぞれ、入力信号の画像が表示されるディスプレイの白色として表示する輝度レベル、または黒色として表示する輝度レベルを示している。
【０００４】
したがって、図１の入力信号においては黒色として表示されるほどではなかった輝度の比較的低い部分が、図２の出力信号において黒色として表示されるので、画像の暗い部分がより暗く強調されることになる。
【０００５】
なお、図２に示された出力信号から明らかなように、直流伝送補正では、本来白色で表示されるべき輝度の高い信号も、そのレベルが下方に補正されてしまうことになるが、例えばCRT(Cathode Ray Tube)を用いたディスプレイのように、白レベルと黒レベルのダイナミックレンジが固定されていないディスプレイでは、図３に示すように、白直流伝送補正とは独立した処理として、色レベルを下げることができるので、本来白色で表示されるべき部分を白色で表示することができる。
【０００６】
【特許文献１】特開２００３−１３１６２３号公報（第１５段落、および図４）
【発明の開示】
【発明が解決しようとする課題】
【０００７】
しかしながら、従来の直流伝送補正技術を使用した場合、画素の白レベルと黒レベルのダイナミックレンジが固定されている液晶ディスプレイ等では、白レベルを維持した状態で黒レベルだけを下げることができないので、信号全体のレベルが下がることにより、本来白色で表示されるべき部分を白色で表示することができない。したがって画面全体が暗くなってしまうという課題があった。
【０００８】
本発明はこのような状況に鑑みてなされたものであり、ディスプレイの白レベルを変更することなく、画像のコントラストを改善できるようにすることを目的とする。
【課題を解決するための手段】
【０００９】
本発明の画像処理装置は、画像を構成する画素の輝度の平均値を検出する平均値検出手段と、画素に対して、画素の輝度に対応する補正係数を決定する補正係数決定手段と、平均値検出手段によって検出された平均輝度、および補正係数決定手段により画素に対して決定された補正係数に基づき、画素に対する補正値を算出する補正値算出手段と、補正値算出手段によって算出された補正値を、対応する画素の輝度に加算する加算手段とを含み、補正値算出手段は、画素の輝度が最大値である場合、補正値として最小値である０を算出することを特徴とする。
【００１０】
前記補正係数決定手段は、画素の輝度が最大値である場合、補正係数を最大値である０に決定し、画素の輝度が最小値である場合、補正係数を負の数である最小値に決定するようにすることができる。
【００１１】
前記補正値算出手段は、平均値検出手段によって検出された平均輝度、および補正係数決定手段により画素に対して決定された補正係数に比例して、画素に対する補正値を算出するようにすることができる。
【００１２】
前記補正係数決定手段は、ルックアップテーブルまたは関数を用いて、各画素の輝度に対応する補正係数を決定するようにすることができる。
【００１３】
本発明の画像処理方法は、画像を構成する画素の輝度の平均値を検出する平均値検出ステップと、画素に対して、画素の輝度に対応する補正係数を決定する補正係数決定ステップと、平均値検出ステップの処理で検出された平均輝度、および補正係数決定ステップの処理で画素に対して決定された補正係数に基づき、画素に対する補正値を算出する補正値算出ステップと、補正値算出ステップによって算出された補正値を、対応する画素の輝度に加算する加算ステップとを含み、補正値算出ステップは、画素の輝度が最大値である場合、補正値として最小値である０を算出することを特徴とする。
【００１４】
本発明のプログラムは、画像を構成する画素の輝度の平均値を検出する平均値検出ステップと、画素に対して、画素の輝度に対応する補正係数を決定する補正係数決定ステップと、平均値検出ステップの処理で検出された平均輝度、および補正係数決定ステップの処理で画素に対して決定された補正係数に基づき、画素に対する補正値を算出する補正値算出ステップと、補正値算出ステップによって算出された補正値を、対応する画素の輝度に加算する加算ステップとを含む処理をコンピュータに実行させ、補正値算出ステップは、画素の輝度が最大値である場合、補正値として最小値である０を算出することを特徴とする。
【００１５】
本発明の画像処理装置および方法、並びにプログラムにおいては、画素に対して、画素の輝度に対応する補正係数が決定され、検出された平均輝度、および決定された補正係数に基づき、画素に対する補正値が算出され、算出された補正値が、対応する画素の輝度に加算される。なお、補正値は、画素の輝度が最大値である場合、最小値である０が算出される。
【発明の効果】
【００１６】
本発明によれば、ディスプレイの白レベルを変更することなく、画像のコントラストを改善することが可能となる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１９】
請求項１に記載の画像処理装置（例えば、図４の画像処理装置）は、画像（フィールド画像またはフレーム画像）を構成する画素の輝度の平均値を検出する平均値検出手段（例えば、図４の平均値検出部２）と、画素に対して、画素の輝度に対応する補正係数を決定する補正係数決定手段（例えば、図４の補正係数決定部４）と、平均値検出手段によって検出された平均輝度、および補正係数決定手段により画素に対して決定された補正係数に基づき、画素に対する補正値を算出する補正値算出手段（例えば、図４の補正信号生成部６）と、補正値算出手段によって算出された補正値を、対応する画素の輝度に加算する加算手段（例えば、図４の加算部７）とを含み、補正値算出手段は、画素の輝度が最大値である場合、補正値として最小値である０を算出することを特徴とする。
【００２０】
請求項５に記載の画像処理方法は、画像を構成する画素の輝度の平均値を検出する平均値検出ステップ（例えば、図６のステップＳ２）と、画素に対して、画素の輝度に対応する補正係数を決定する補正係数決定ステップ（例えば、図６のステップＳ４）と、平均値検出ステップの処理で検出された平均輝度、および補正係数決定ステップの処理で画素に対して決定された補正係数に基づき、画素に対する補正値を算出する補正値算出ステップ（例えば、図６のステップＳ５）と、補正値算出ステップによって算出された補正値を、対応する画素の輝度に加算する加算ステップ（例えば、図６のステップＳ６）とを含み、補正値算出ステップは、画素の輝度が最大値である場合、補正値として最小値である０を算出することを特徴とする。
【００２１】
なお、本発明のプログラムの請求項に記載の構成要件と、発明の実施の形態における具体例との対応関係は、上述した本発明の画像処理方法のものと同様であるので、その記載は省略する。
【００２２】
図４は、本発明の一実施の形態である画像処理装置の構成例を示している。この画像処理装置は、白レベルと黒レベルのダイナミックレンジが固定されている液晶ディスプレイ等に組み込まれるものである。
【００２３】
図４の構成例において、フレームバッファ１は、入力されるテレビジョン放送等の画像信号（入力信号）を、１画像（フィールド画像またはフレーム画像）分を保持する。平均輝度検出部２は、フレームバッファ１に保持された１枚分の画像信号の平均輝度Ａｖを算出して補正信号生成部６に出力する。なお、平均輝度検出部２において、１枚分の画像信号を元に平均輝度を算出するのではなく、より多くの枚数の画像信号を元に平均輝度を算出するようにしてもよい。
【００２４】
画素読み出し部３は、フレームバッファ１に保持された１枚分の画像信号を、１画素ずつ読み出し、補正係数決定部４および加算部７に出力する。補正係数決定部４は、ルックアップテーブル(LUT)保持部５に保持されているルックアップテーブル（以下、LUTと記述する）を参照することにより、画素読み出し部３から入力された、画素の画像信号の輝度レベルＰに対応する補正係数Ｋｐ（負の数または０）を決定して補正信号生成部６に出力する。なお、ルックアップテーブルの代わりに、輝度レベルＰを入力とし、補正係数Ｋｐを出力とする関数を用いて、補正係数Ｋｐを決定するようにしてもよい。
【００２５】
LUT保持部５は、輝度レベルＰと補正係数Ｋｐとの対応関係を示すLUTを保持している。輝度レベルＰと補正係数Ｋｐとの対応関係は、例えば図５に示す直線１１のように、輝度レベルＰが最小値であるとき、補正係数Ｋｐも負の値の最小値となり、輝度レベルＰが最大値であるとき、補正係数Ｋｐも最大値である０となるように対応付けられている。なお、輝度レベルＰと補正係数Ｋｐとの関係は、図５に示された直線１１のように線形である必要はなく、非線形であっても構わない。
【００２６】
補正信号生成部６は、次式（１）に従い、補正係数決定部４から入力される補正係数Ｋｐと平均輝度検出部２から入力される平均輝度Ａｖとに基づき、補正信号Ｃを生成して加算部７に出力する。
Ｃ＝Ｋｐ・（Ａｖ／Ｗｌ）                                      …（１）
【００２７】
なお、Ｗｌは、当該画像処理装置が組み込まれる液晶ディスプレイ等の白レベルであって、予め設定されている値である。
【００２８】
加算部７は、画素読み出し部３から入力される画素毎の画像信号に、対応する補正信号生成部６から入力される補正信号Ｃを加算して出力信号を生成する。
【００２９】
次に、当該画像処理装置によるコントラスト強調処理について、図６のフローチャートを参照して説明する。
【００３０】
ステップＳ１において、フレームバッファ１は、入力された画像信号を、１画像分だけ保持する。平均輝度検出部２は、フレームバッファ１に保持された１枚分の画像信号を取得し、ステップＳ２において、その平均輝度Ａｖを算出して補正信号生成部６に出力する。
【００３１】
ステップＳ３において、画素読み出し部３は、フレームバッファ１に保持された１枚分の画像信号のうち、例えばラスタースキャン順に１画素分の画像信号を読み出して、補正係数決定部４および加算部７に出力する。ステップＳ４において、補正係数決定部４は、ルックアップテーブル保持部５に保持されているLUTを参照することにより、画素読み出し部３から入力された画素の画像信号の輝度レベルＰに対応する補正係数Ｋｐを決定して補正信号生成部６に出力する。
【００３２】
ステップＳ５において、補正信号生成部６は、式（１）に従い、補正係数決定部４によって決定された補正係数Ｋｐと、平均輝度検出部２によって算出された平均輝度Ａｖとに基づいて補正信号Ｃを生成し、加算部７に出力する。ステップＳ６において、加算部７は、画素読み出し部３から入力された画素の画像信号の輝度レベルＰに、補正信号生成部６から入力された対応する補正信号Ｃを加算し、この結果を出力信号として後段に出力する。
【００３３】
出力信号の輝度レベルは、図５と式（１）からも明らかなように、入力信号の平均輝度Ａｖが高いほど、補正信号Ｃはその値が大きくなる。また、入力信号の輝度レベルＰが低いほど、補正信号Ｃは小さくなり（負の数である補正信号Ｃの絶対値は大きくなり）、入力信号の輝度レベルＰが最大のとき、補正信号Ｃは最大値の０となる。
【００３４】
したがって、共通の平均輝度Ａｖが適用される１枚の画像では、入力信号において輝度レベルＰの低い画素ほど、出力信号においてより輝度が低減され、入力信号における輝度レベルＰが高い画素ほど、出力信号における輝度の減少量は小さくなる。そして、入力信号における輝度レベルＰが最大値である場合、出力信号における輝度レベルは入力信号における値と同じとなる。
【００３５】
図７は、コントラスト強調処理が施される前の画像信号（入力信号）と、当該処理後の画像信号（出力信号）の輝度レベルの関係を示している。図７において、横軸は入力信号の輝度レベルであり、縦軸は出力信号の輝度レベルである。平均輝度Ａｖが所定の基準値である場合の、入力信号と出力信号の輝度レベルの関係が直線２１に示す通りとすれば、平均輝度Ａｖが所定の基準よりも低い場合、入力信号と出力信号の輝度レベルの関係は、直線２１よりも傾きの緩い直線２２のようなものとなる。反対に、平均輝度Ａｖが所定の基準よりも高い場合、入力信号と出力信号の輝度レベルの関係は、直線２１よりも傾きの急な直線２３のようなものとなる。また、図７から明らかなように、平均輝度Ａｖの値に拘わらず、入力信号における輝度レベルの最大値は、出力信号においても最大値となる。
【００３６】
したがって、画面が全体的に明るい（平均輝度Ａｖがより高い）画像ほど、コントラスト強調処理によって、輝度の低い部分がより暗く表示されることになる。
【００３７】
ステップＳ７において、画素読み出し部３は、フレームバッファ１に保持された１枚分の画像信号の全てを読み出したか否かを判定し、読み出していない画素があると判定した場合、次の画素を読み出すためにステップＳ３に戻る。これ以降、ステップＳ７において、フレームバッファ１に保持された１枚分の画像信号の全てが読み出されたと判定されるまで、ステップＳ３乃至Ｓ７の処理が繰り返されることになる。以上で、コントラスト強調処理の説明を終了する。
【００３８】
次に、図８は、図１に示された入力信号にコントラスト強調処理を施して得られる出力信号の輝度レベルを示している。ただし、図８において、横軸は時間ｔを示し、縦軸は入力信号または出力信号の輝度レベルを示す。また、縦軸の白レベルと黒レベルは、当該画像処理装置が組み込まれる液晶ディスプレイ等のダイナミックレンジ（ＤＬ）が固定されている白レベルと黒レベルである。
【００３９】
図１と図８を比較して明らかなように、図１の入力信号においては黒色で表示されるほどではなかった輝度の比較的低い部分（図８に波線で示す領域３１）が、図８の出力信号において輝度レベルが黒レベルまで低減されているので黒色として表示される。よって、画像の暗い部分がより暗く強調されることになる。また、図１の入力信号においては白色で表示された輝度レベルが最大値の部分（図８に波線で示す領域３２）は、図８の出力信号においても変化せず、白色で表示される。したがって、画面全体の明るさが損なわれることなく、画面のコントラストが強調されたことになる。
【００４０】
ところで、上述したコントラスト強調処理は、ハードウェアにより実行させることもできるが、ソフトウェアにより実行させることもできる。コントラスト強調処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図９に示すように構成される汎用のパーソナルコンピュータなどに、記録媒体６１からインストールされる。
【００４１】
このパーソナルコンピュータ５０は、CPU(Central Processing Unit)５１を内蔵している。CPU５１にはバス５４を介して、入出力インタフェース５５が接続されている。バス５４には、ROM(Read Only Memory)５２およびRAM(Random Access Memory)５３が接続されている。
【００４２】
入出力インタフェース５５には、ユーザが操作コマンドを入力するキーボード、マウス、リモートコントローラなどの入力デバイスよりなる入力部５６、画像等を表示するディスプレイ等からなる出力部５７、プログラムや画像信号等を格納するハードディスクドライブなどよりなる記憶部５８、およびLAN(Local Area Network)アダプタなどよりなり、インタネットに代表されるネットワークを介した通信処理を実行する通信部５９が接続されている。また、磁気ディスク、光ディスク、光磁気ディスク、および半導体メモリなどからなる記録媒体６１に対してデータを読み書きするドライブ６０が接続されている。
【００４３】
このパーソナルコンピュータ５０にコントラスト強調処理を実行させるプログラムは、例えば記録媒体６１に格納された状態でパーソナルコンピュータ５０に供給され、ドライブ６０によって読み出されて記憶部５８に内蔵されるハードディスクドライブにインストールされている。記憶部５８にインストールされているプログラムは、入力部５６に入力されるユーザからのコマンドに対応するCPU５１の指令によって、記憶部５８からRAM５３にロードされて実行される。
【００４４】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００４５】
【図１】入力信号の輝度レベルの一例を示す図である。
【図２】図１の入力信号に直流伝送補正を施した結果を示す図である。
【図３】図１の入力信号に直流伝送補正を施し、さらに白レベルを変更した状態を示す図である。
【図４】本発明を適用した画像処理装置の構成例を示すブロック図である。
【図５】輝度レベルと補正係数の関係の一例を示す図である。
【図６】コントラスト強調処理を説明するフローチャートである。
【図７】コントラスト強調処理が施される前後の輝度レベルの関係を示している。
【図８】図１の入力信号にコントラスト強調処理を施した結果を示す図である。
【図９】本発明を適用したパーソナルコンピュータの構成例を示すブロック図である。
【符号の説明】
【００４６】
１  フレームバッファ，  ２  平均輝度検出部，  ３  画素読み出し部，  ４  補正係数決定部，  ５  ルックアップテーブル保持部，  ６  補正信号生成部，  ７  加算部
【図１】
2005309737.tif 000003
【図２】
2005309737.tif 000004
【図３】
2005309737.tif 000005
【図４】
2005309737.tif 000006
【図５】
2005309737.tif 000007
【図６】
2005309737.tif 000008
【図７】
2005309737.tif 000009
【図８】
2005309737.tif 000010
【図９】
2005309737.tif 000011
【手続補正書】
【提出日】平成17年5月20日(2005.5.20)
【手続補正１】
【補正対象書類名】特許請求の範囲
【補正対象項目名】全文
【補正方法】変更
【補正の内容】
【特許請求の範囲】
【請求項１】
画像を構成する画素の輝度の平均値を検出する平均値検出手段と、
前記画素に対して、前記画素の輝度に対応する補正係数を決定する補正係数決定手段と、
前記平均値検出手段によって検出された平均輝度、および前記補正係数決定手段により前記画素に対して決定された前記補正係数に基づき、前記画素に対する補正値を算出する補正値算出手段と、
前記補正値算出手段によって算出された前記補正値を、対応する前記画素の輝度に加算する加算手段とを含み、
前記補正値算出手段は、前記画素の輝度が最大値である場合、前記補正値として最大値である０を算出する
ことを特徴とする画像処理装置。
【請求項２】
前記補正係数決定手段は、前記画素の輝度が最大値である場合、前記補正係数を最大値である０に決定し、前記画素の輝度が最小値である場合、前記補正係数を負の数である最小値に決定する
ことを特徴とする請求項１に記載の画像処理装置。
【請求項３】
前記補正値算出手段は、前記平均値検出手段によって検出された前記平均輝度、および前記補正係数決定手段により前記画素に対して決定された前記補正係数に比例して、前記画素に対する補正値を算出する
ことを特徴とする請求項１に記載の画像処理装置。
【請求項４】
前記補正係数決定手段は、ルックアップテーブルまたは関数を用いて、前記各画素の輝度に対応する前記補正係数を決定する
ことを特徴とする請求項１に記載の画像処理装置。
【請求項５】
画像を構成する画素の輝度の平均値を検出する平均値検出ステップと、
前記画素に対して、前記画素の輝度に対応する補正係数を決定する補正係数決定ステップと、
前記平均値検出ステップの処理で検出された平均輝度、および前記補正係数決定ステップの処理で前記画素に対して決定された前記補正係数に基づき、前記画素に対する補正値を算出する補正値算出ステップと、
前記補正値算出ステップによって算出された前記補正値を、対応する前記画素の輝度に加算する加算ステップとを含み、
前記補正値算出ステップは、前記画素の輝度が最大値である場合、前記補正値として最大値である０を算出する
ことを特徴とする画像処理方法。
【請求項６】
画像を構成する画素の輝度の平均値を検出する平均値検出ステップと、
前記画素に対して、前記画素の輝度に対応する補正係数を決定する補正係数決定ステップと、
前記平均値検出ステップの処理で検出された平均輝度、および前記補正係数決定ステップの処理で前記画素に対して決定された前記補正係数に基づき、前記画素に対する補正値を算出する補正値算出ステップと、
前記補正値算出ステップによって算出された前記補正値を、対応する前記画素の輝度に加算する加算ステップとを含む処理をコンピュータに実行させ、
前記補正値算出ステップは、前記画素の輝度が最大値である場合、前記補正値として最大値である０を算出する
ことを特徴とするプログラム。
【手続補正２】
【補正対象書類名】明細書
【補正対象項目名】０００９
【補正方法】変更
【補正の内容】
【０００９】
本発明の画像処理装置は、画像を構成する画素の輝度の平均値を検出する平均値検出手段と、画素に対して、画素の輝度に対応する補正係数を決定する補正係数決定手段と、平均値検出手段によって検出された平均輝度、および補正係数決定手段により画素に対して決定された補正係数に基づき、画素に対する補正値を算出する補正値算出手段と、補正値算出手段によって算出された補正値を、対応する画素の輝度に加算する加算手段とを含み、補正値算出手段は、画素の輝度が最大値である場合、補正値として最大値である０を算出することを特徴とする。
【手続補正３】
【補正対象書類名】明細書
【補正対象項目名】００１３
【補正方法】変更
【補正の内容】
【００１３】
本発明の画像処理方法は、画像を構成する画素の輝度の平均値を検出する平均値検出ステップと、画素に対して、画素の輝度に対応する補正係数を決定する補正係数決定ステップと、平均値検出ステップの処理で検出された平均輝度、および補正係数決定ステップの処理で画素に対して決定された補正係数に基づき、画素に対する補正値を算出する補正値算出ステップと、補正値算出ステップによって算出された補正値を、対応する画素の輝度に加算する加算ステップとを含み、補正値算出ステップは、画素の輝度が最大値である場合、補正値として最大値である０を算出することを特徴とする。
【手続補正４】
【補正対象書類名】明細書
【補正対象項目名】００１４
【補正方法】変更
【補正の内容】
【００１４】
本発明のプログラムは、画像を構成する画素の輝度の平均値を検出する平均値検出ステップと、画素に対して、画素の輝度に対応する補正係数を決定する補正係数決定ステップと、平均値検出ステップの処理で検出された平均輝度、および補正係数決定ステップの処理で画素に対して決定された補正係数に基づき、画素に対する補正値を算出する補正値算出ステップと、補正値算出ステップによって算出された補正値を、対応する画素の輝度に加算する加算ステップとを含む処理をコンピュータに実行させ、補正値算出ステップは、画素の輝度が最大値である場合、補正値として最大値である０を算出することを特徴とする。
【手続補正５】
【補正対象書類名】明細書
【補正対象項目名】００１５
【補正方法】変更
【補正の内容】
【００１５】
本発明の画像処理装置および方法、並びにプログラムにおいては、画素に対して、画素の輝度に対応する補正係数が決定され、検出された平均輝度、および決定された補正係数に基づき、画素に対する補正値が算出され、算出された補正値が、対応する画素の輝度に加算される。なお、補正値は、画素の輝度が最大値である場合、最大値である０が算出される。
【手続補正６】
【補正対象書類名】明細書
【補正対象項目名】００１９
【補正方法】変更
【補正の内容】
【００１９】
請求項１に記載の画像処理装置（例えば、図４の画像処理装置）は、画像（フィールド画像またはフレーム画像）を構成する画素の輝度の平均値を検出する平均値検出手段（例えば、図４の平均値検出部２）と、画素に対して、画素の輝度に対応する補正係数を決定する補正係数決定手段（例えば、図４の補正係数決定部４）と、平均値検出手段によって検出された平均輝度、および補正係数決定手段により画素に対して決定された補正係数に基づき、画素に対する補正値を算出する補正値算出手段（例えば、図４の補正信号生成部６）と、補正値算出手段によって算出された補正値を、対応する画素の輝度に加算する加算手段（例えば、図４の加算部７）とを含み、補正値算出手段は、画素の輝度が最大値である場合、補正値として最大値である０を算出することを特徴とする。
【手続補正７】
【補正対象書類名】明細書
【補正対象項目名】００２０
【補正方法】変更
【補正の内容】
【００２０】
請求項５に記載の画像処理方法は、画像を構成する画素の輝度の平均値を検出する平均値検出ステップ（例えば、図６のステップＳ２）と、画素に対して、画素の輝度に対応する補正係数を決定する補正係数決定ステップ（例えば、図６のステップＳ４）と、平均値検出ステップの処理で検出された平均輝度、および補正係数決定ステップの処理で画素に対して決定された補正係数に基づき、画素に対する補正値を算出する補正値算出ステップ（例えば、図６のステップＳ５）と、補正値算出ステップによって算出された補正値を、対応する画素の輝度に加算する加算ステップ（例えば、図６のステップＳ６）とを含み、補正値算出ステップは、画素の輝度が最大値である場合、補正値として最大値である０を算出することを特徴とする。